(57)【要約】【課題】ベッド利用者の快適性を向上させることができるベッド用サイドユニットを提供すること目的とする。【解決手段】ベッドのサイドフレームに形成されたサイドレール用孔に挿入される一対のフレーム差込部と、前記フレーム差込部の一方の上方に延長されて立上り、所定高さを頂上とする略山形をなす曲線を描き、さらに、なだらかに下方へ屈曲しながら略水平部へ接続し、前記フレーム差込部の他方の上方へと至る形状を有するフレーム部材と、前記フレーム部材が形成する平面の一部または全部を埋める板部材を備えたものである。【選択図】        図２
0003108136.tif 000002
【実用新案登録請求の範囲】
【請求項１】
ベッドのサイドフレームに形成されたサイドレール用孔に挿入される一対のフレーム差込部と、
前記フレーム差込部の一方の上方に延長されて立上り、所定高さを頂上とする略山形をなす曲線を描き、さらに、なだらかに下方へ屈曲しながら略水平部へ接続し、前記フレーム差込部の他方の上方へと至る形状を有するフレーム部材を備えたことを特徴とするベッド用サイドユニット。
【請求項２】
ベッドのサイドフレームに形成されたサイドレール用孔に挿入される一対のフレーム差込部と、
前記フレーム差込部の一方の上方に延長されて立上り、所定高さを頂上とする略山形をなす曲線を描き、さらに、なだらかに下方へ屈曲しながら略水平部へ接続し、前記フレーム差込部の他方の上方へと至る形状を有するフレーム部材と、
前記フレーム部材が形成する平面の一部または全部を埋める板部材を備えたことを特徴とするベッド用サイドユニット。
【請求項３】
前記一対のフレーム差込部には、前記サイドレール用孔への挿入深さを複数段に設定可能な高さ調整部がさらに形成されることを特徴とする請求項１または請求項２記載のベッド用サイドユニット。
【請求項４】
前記フレーム部材には、ベッドに用いられる布団類を係止するためのクリップ部材が取り付け可能にされていることを特徴とする請求項１又は請求項２または請求項３記載のベッド用サイドユニット。
【考案の詳細な説明】
【技術分野】
【０００１】
本考案は、介護用ベッドや病院用ベッドなどのベッドのサイドフレームに形成されたサイドレール用孔に挿入されるベッド用サイドユニットに関する。
【背景技術】
【０００２】
従来、介護用ベッド、病院用ベッドには寝返りなどによって起こるベッド利用者のための転落防止の機能は設けられていない。そのために、転落防止のためにベッドフレームに側柵（サイドレール）が取り付けられてきた。
【０００３】
また、側柵を使用しない場合にはベッド下に衝撃吸収マットを配置し、ベッド利用者の転落による衝撃を抑えていた。あるいは、落下予防のための装置も提案されている（特許文献１参照）。
【特許文献１】特開２００３−３８３０２号公報
【考案の開示】
【考案が解決しようとする課題】
【０００４】
しかしながら、従来用いられている側柵は金属製のものが多く、ベッド上で使用するマットレスによって必要な柵の高さや幅が変わってくるので、必要以上に構造が大きくなっていた。そのため、ベッドの利用者に圧迫感や、窮屈感を与えるという不具合を生じていた。
【０００５】
本考案は、かかる実情に鑑みてなされたものであり、ベッド利用者の快適性を向上させることができるベッド用サイドユニットを提供すること目的とする。
【課題を解決するための手段】
【０００６】
本考案は、ベッドのサイドフレームに形成されたサイドレール用孔に挿入される一対のフレーム差込部と、前記フレーム差込部の一方の上方に延長されて立上り、所定高さを頂上とする略山形をなす曲線を描き、さらに、なだらかに下方へ屈曲しながら略水平部へ接続し、前記フレーム差込部の他方の上方へと至る形状を有するフレーム部材を備えたものである。
【０００７】
また、ベッドのサイドフレームに形成されたサイドレール用孔に挿入される一対のフレーム差込部と、前記フレーム差込部の一方の上方に延長されて立上り、所定高さを頂上とする略山形をなす曲線を描き、さらに、なだらかに下方へ屈曲しながら略水平部へ接続し、前記フレーム差込部の他方の上方へと至る形状を有するフレーム部材と、前記フレーム部材が形成する平面の一部または全部を埋める板部材を備えたものである。
【０００８】
また、前記一対のフレーム差込部には、前記サイドレール用孔への挿入深さを複数段に設定可能な高さ調整部がさらに形成されるものである。
【０００９】
また、前記フレーム部材には、ベッドに用いられる布団類を係止するためのクリップ部材が取り付け可能にされているものである。
【考案の効果】
【００１０】
したがって、本考案によれば、サイドレールの形状が小さいため、圧迫感の無い快適な寝具環境が提供できるとともに、寝返り時の転落危険察知、および、布団落下防止が可能となるという効果を得る。また、取付高さを変更することができるので、使用するマットレス厚さによって適切な高さに変更して使用できるという効果も得る。
【考案を実施するための最良の形態】
【００１１】
以下、添付図面を参照しながら、本考案の実施の形態を詳細に説明する。
【００１２】
図１は、本考案にかかるベッド用サイドユニットが適用される介護用ベッドあるいは病院用ベッド（以下、単に「ベッド」という）の概略構成を示している。
【００１３】
同図において、ベッドは、利用者の頭位置に配置されるヘッドボード１、足下に配置されるフットボード２、左右に配置されるサイドフレーム３，４、および、これらのヘッドボード１、フットボード２、サイドフレーム３，４を固定するベッドフレーム５から構成されており、ベッドフレーム５には、マットレス６が載置されている。
【００１４】
また、サイドフレーム３，４には、転落防止等を目的とするサイドレールを取り付けるための孔７，８，９，１０，１１，１２，１３，１４がそれぞれ設けられている。ここで、サイドフレーム３に設けられた孔７，８と孔９，１０は、対をなし、ここにそれぞれサイドレールを取り付けることができるようになっている。同様に、サイドフレーム４に設けられた孔１１，１２と孔１３，１４は、対をなし、ここにそれぞれサイドレールを取り付けることができるようになっている。
【００１５】
図２（ａ），（ｂ）は、本考案の一実施例にかかるベッド用サイドユニットを例示している。このベッド用サイドユニット２０は、その材質が一般的な樹脂であり、全体が一体成型されるものである。
【００１６】
このベッド用サイドユニット２０は、ベッドのサイドフレーム３，４に形成されたサイドレール用の孔７，８，９，１０，１１，１２，１３，１４に挿入される一対のフレーム差込部２１，２２と、一方のフレーム差込部２１の上方に延長されて立上り、所定高さを頂上とする略山形をなす曲線を描き、さらに、なだらかに下方へ屈曲しながら略水平部へ接続し、他方のフレーム差込部２２へと至る形状を有するフレーム部材２３と、フレーム部材２３が描く曲線に囲まれた空間を閉じる板部材２４から構成されている。
【００１７】
また、フレーム部材２３は、丸棒の左右に溝２３ａ，２３ｂを形成した形状を有しており、当該溝２３ａ，２３ｂは、フレーム差込部２１，２２に形成された溝２１ａ，２１ｂ，２２ａ，２１ｂに連続する。
【００１８】
また、フレーム部材２３の山形の頂点部分の溝には、後述するように、クリップ部材を取り付けるための孔２３ｃが穿設されている。
【００１９】
また、フレーム差込部２１，２２には、図３に示すように、先端から所定距離の位置から、所定間隔で複数の溝ＭＺが形成されており、いずれかの溝ＭＺには、このベッド用サイドユニット２０の差込高さを規定するためのストッパ部材ＳＰが装着される。このストッパ部材ＳＰとしては、溝ＭＺに着脱自在なものが用いることが好ましく、例えば、ゴム製のＯリングを適用することができる。
【００２０】
したがって、図４に示すように、ベッド用サイドユニット２０をベッドへ装着する際には、まず、それぞれのフレーム差込部２１，２２に対し、ストッパ部材ＳＰを適切な位置の溝ＭＺへ装着し、次いで、フレーム差込部２１，２２を、例えば、サイドフレーム３の孔７，８へ差し込む。なお、同図において、ボトムユニット５ａは、ベッドフレーム５の構成要素であり、マットレス６を支持する機能を有するものである。
【００２１】
これにより、ベッド用サイドユニット２０の枠部材２３の最上部の高さは、ベッドのマットレス６の高さよりも高くなり、したがって、マットレス６に横臥したユーザは、寝返りを打った際に、このベッド用サイドユニット２０の枠部材２３に体の一部が触れるので、転落しそうになっていることを知ることができ、転落を防止することができる。
【００２２】
また、上述したように、フレーム差込部２１，２２にストッパ部材ＳＰを装着する溝ＭＺを変更することで、枠部材２３の高さをある程度調節することができるので、マットレス６の厚さに応じて、ストッパ部材ＳＰの装着位置を設定するとよい。
【００２３】
図５は、枠部材２３に取り付けるクリップ部材３０の一例を示している。
【００２４】
このクリップ部材３０は、布団などの掛け具をつまんで係止するためのクリップ３１と、このクリップ３１を枠部材２３の孔２３ｃに取り付けるための紐部材３２からなる。また、紐部材３２のクリップ３１の取り付け部とは反対の端部は、輪３２ａに構成されており、この端部を孔２３ｃに挿通して紐部材３２を出し、この輪３２ａにクリップ３１の先端を通すことで、クリップ部材３０を枠部材２３に取り付けることができる。
【００２５】
なお、紐部材３２としては、伸縮性のあるゴム紐のようなものや、伸縮性のない幅広テープ状のものなど、適宜な材質のものを適用することができる。
【００２６】
例えば、図６に示すように、ベッドのサイドフレーム３の孔７，８に１つ目のベッド用サイドユニット２０を取り付け、サイドフレーム３の孔９，１０に２つ目のベッド用サイドユニット２０を取り付ける。また、それぞれのベッド用サイドユニット２０には、クリップ部材３０を取り付けている。
【００２７】
マットレス６には、掛け布団３５と枕３６がおかれていて、それぞれのクリップ部材３０のクリップ３１により、掛け布団３５の側をつまんで係止する。これにより、掛け布団３５と枕３６を利用して横臥しているユーザが、寝返りを打つ等の運動をして、掛け布団３５がずれた場合でも、掛け布団３５がマットレス６から落下するような事態を回避することができる。
【００２８】
このようにして、本実施例では、ベッド用サイドユニット２０を小型に形成するとともに、樹脂で形成しているので、非常に軽量で取り扱いが容易である。また、利用者にベッドから落下しそうになっていることを、適切に知らせることができるので、落下防止抑制の機能も有する。また、クリップ部材３０を設けることで、掛け布団の落下防止機能も有する。また、小型で必要な機能を有しているので、ベッドの利用者が圧迫感を覚えたりするような事態を回避することができ、そのため、利用者は、快適にベッドを利用することができる。
【００２９】
ところで、上述した実施例では、ベッド用サイドユニット２０の枠部材２３に板部材２４を設けているが、この板部材２４を省略することもできる。その場合でも、本実施例と同等の効果を実現することができる。
【００３０】
また、上述した実施例では、枠部材２３に溝２３ａ，２３ｂを形成しているが、この溝を設けなくともよい。その場合でも、本実施例と同等の効果を実現することができる。
【図面の簡単な説明】
【００３１】
【図１】本考案にかかるベッドの概略構成を示した平面図。
【図２】本考案の一実施例にかかるベッド用サイドユニットを例示した正面図、および、Ａ−Ａ’矢視断面部分図。
【図３】フレーム差込部２１，２２に設けた高さ調整部の一例を示した概略図。
【図４】ベッド用サイドユニット２０をベッドへ装着する際の一例を説明するための概略部分断面図。
【図５】枠部材２３に取り付けるクリップ部材３０の一例を示した概略図。
【図６】掛け布団のずれを抑制する作用を説明するための概略図。
【符号の説明】
【００３２】
２０  ベッド用サイドユニット
２１，２２  フレーム差込部
２３  枠部材
２３ｃ  孔
２４  板部材
３０  クリップ部材
３１  クリップ
３２  紐部材
３２ａ  輪
ＭＺ  溝
ＳＰ  ストッパ部材
【図１】
0003108136.tif 000003
【図５】
0003108136.tif 000004
【図６】
0003108136.tif 000005
【図２】
0003108136.tif 000006
【図３】
0003108136.tif 000007
【図４】
0003108136.tif 000008